(57)【要約】【課題】  受信装置の消費電力を低減する。【解決手段】  第１等化部２０は、ディジタル信号２０２を入力して等化処理を行い、第１等化部出力信号２０６を出力する。第１選択部１４は、ディジタル信号２０２と第１等化部出力信号２０６の一方を選択して、逆拡散部１６あるいは第２等化部２２に出力する。逆拡散部１６は、逆拡散し、ＰＳＫ復調部１８は、逆拡散された信号をＰＳＫで復調する。第２等化部２２は、等化処理し、ＣＣＫ復調部６６は、ＣＣＫ復調を行う。第２選択部６４は、第１選択部１４に対応して動作する。変調方式判定部６０は、ＰＳＫ復調部１８で復調した信号から変調方式に関する情報を抽出し、変調方式を判定する。決定部６２は、判定した変調方式にもとづいて、第１選択部１４と第２選択部６４での信号の選択を指示する。【選択図】  図１
2005244324.tif 000002
【特許請求の範囲】
【請求項１】
信号を受信する受信部と、
前記受信した信号を等化処理する等化処理部と、
前記受信した信号あるいは前記等化処理した信号のうちのいずれかを選択する選択部と、
前記選択した信号の変調方式が第１の変調方式である場合に、前記選択した信号を前記第１の変調方式に応じて復調する第１復調部と、
前記選択した信号の変調方式が前記第１の変調方式より伝送速度の高い第２の変調方式である場合に、前記選択した信号を前記第２の変調方式に応じて復調する第２復調部とを備え、
前記選択部は、前記受信した信号の変調方式が第１の変調方式である場合には、前記受信した信号を選択することを特徴とする受信装置。
【請求項２】
前記等化処理部は、前記選択部が前記受信した信号を選択している場合に、等化処理を停止することを特徴とする請求項１に記載の受信装置。
【請求項３】
前記受信部で受信すべき信号はバースト信号であって、かつ前記バースト信号の先頭部分の変調方式は、第１の変調方式であり、
前記等化処理部は、前記バースト信号の先頭部分の少なくとも一部で等化処理し、前記バースト信号の残りの部分において、前記選択部が前記受信した信号を選択した場合に、等化処理を停止することを特徴とする請求項１に記載の受信装置。
【請求項４】
前記受信部で受信した信号の変調方式が第１の変調信号である場合に、前記受信した信号の品質を測定する測定部をさらに含み、
前記選択部は、前記測定した信号の品質が所定のしきい値より悪化していれば、前記受信した信号の変調方式が第１の変調方式であるにもかかわらず、前記等化処理した信号を選択することを特徴とする請求項１に記載の受信装置。
【請求項５】
前記等化処理部は、前記受信した信号を記憶するための複数の記憶部を含み、かつ当該複数の記憶部が直列に配列されており、
前記選択部は、前記受信した信号を選択する場合に、前記等化処理部に含まれた複数の記憶部のうちのいずれかに記憶された値を出力することを特徴とする請求項１に記載の受信装置。
【請求項６】
前記第２復調部は、前記選択した信号をさらに等化処理する残留成分処理部をさらに含むことを特徴とする請求項１に記載の受信装置。
【請求項７】
信号を受信するステップと、
前記受信した信号を等化処理するステップと、
前記受信した信号あるいは前記等化処理した信号のうちのいずれかを選択するステップと、
前記選択した信号の変調方式が第１の変調方式である場合に、前記選択した信号を前記第１の変調方式に応じて復調するステップと、
前記選択した信号の変調方式が前記第１の変調方式より伝送速度の高い第２の変調方式である場合に、前記選択した信号を前記第２の変調方式に応じて復調するステップとを備え、
前記選択するステップは、前記受信した信号の変調方式が第１の変調方式である場合には、前記受信した信号を選択することを特徴とする受信方法。
【発明の詳細な説明】
【技術分野】
【０００１】
本発明は、受信技術に関し、特に消費電力を低減する受信方法および装置に関する。
【背景技術】
【０００２】
基地局装置と端末装置で構成される携帯電話システムや無線ＬＡＮ（Ｌｏｃａｌ  Ａｒｅａ  Ｎｅｔｗｏｒｋ）のような無線通信システムにおいて、一般的に端末装置はバッテリーで駆動する。端末装置を使用する際の利便性を考慮すれば、端末装置のバッテリーによる駆動時間は、長い方が望ましい。そのため、端末装置で実行される処理の低消費電力化が必要とされる。無線通信システムの端末装置は、一般的に、常時連続して信号を送受信しておらず、送信あるいは受信すべきデータがない場合に端末装置は、基地局装置から所定の間隔で送信される信号を受信する動作、すなわち受信待機モードになっている。端末装置は、受信待機モードの場合に、端末装置が備えた受信機能のすべてを動作させなくてもよい。そのため、受信待機モードにおいて、端末装置は、一部の機能のみを動作させて低消費電力化を図っていた（例えば、特許文献１参照。）。
【特許文献１】特開平８−３０７４２８号公報
【発明の開示】
【発明が解決しようとする課題】
【０００３】
しかしながら、消費電力をさらに低減させるためには、受信待機モード以外の信号を送信あるいは受信する際の消費電力を低減しなければならない。例えば、ＩＥＥＥ８０２．１１ｂの規格に準拠した無線ＬＡＮは、複数の変調方式、すなわち伝送速度の高い変調方式と伝送速度の低い変調方式に対応している。一般的に高い伝送速度に対応した変調方式は、伝搬路でのひずみ等の影響を受けやすく、信号の伝送品質も悪化しやすい。このような伝搬路でのひずみの影響を低減する技術のひとつに適応等化器がある。しかしながら、適応等化器が動作すれば、消費電力は低減できない。一方、低い伝送速度に対応した変調方式は、適応等化器を動作させなくても、信号の伝送品質が悪化しにくい。
【０００４】
本発明はこうした状況に鑑みてなされたものであり、その目的は、信号伝送に使用する変調方式に応じて動作させる回路を変更して、消費電力を低減する受信方法および装置を提供することにある。
【課題を解決するための手段】
【０００５】
本発明のある態様は、受信装置である。この装置は、信号を受信する受信部と、受信した信号を等化処理する等化処理部と、受信した信号あるいは等化処理した信号のうちのいずれかを選択する選択部と、選択した信号の変調方式が第１の変調方式である場合に、選択した信号を第１の変調方式に応じて復調する第１復調部と、選択した信号の変調方式が第１の変調方式より伝送速度の高い第２の変調方式である場合に、選択した信号を第２の変調方式に応じて復調する第２復調部とを備える。この装置において、選択部は、受信した信号の変調方式が第１の変調方式である場合には、受信した信号を選択してもよい。
【０００６】
以上の装置により、伝送速度の低い第１の変調方式の場合に、等化処理した信号でなく受信した信号を選択して復調するので、等化処理が不要になり、消費電力を低減できる。
【０００７】
等化処理部は、選択部が受信した信号を選択している場合に、等化処理を停止してもよい。受信部で受信すべき信号はバースト信号であって、かつバースト信号の先頭部分の変調方式は、第１の変調方式であり、等化処理部は、バースト信号の先頭部分の少なくとも一部で等化処理し、バースト信号の残りの部分において、選択部が受信した信号を選択した場合に、等化処理を停止してもよい。受信部で受信した信号の変調方式が第１の変調信号である場合に、受信した信号の品質を測定する測定部をさらに含み、選択部は、測定した信号の品質が所定のしきい値より悪化していれば、受信した信号の変調方式が第１の変調方式であるにもかかわらず、等化処理した信号を選択してもよい。等化処理部は、受信した信号を記憶するための複数の記憶部を含み、かつ当該複数の記憶部が直列に配列されており、選択部は、受信した信号を選択する場合に、等化処理部に含まれた複数の記憶部のうちのいずれかに記憶された値を出力してもよい。第２復調部は、選択した信号をさらに等化処理する残留成分処理部をさらに含んでもよい。
【０００８】
本発明の別の態様は、受信方法である。この方法は、受信した信号を等化処理するステップと、受信した信号あるいは等化処理した信号のうちのいずれかを選択するステップと、選択した信号の変調方式が第１の変調方式である場合に、選択した信号を第１の変調方式に応じて復調するステップと、選択した信号の変調方式が第１の変調方式より伝送速度の高い第２の変調方式である場合に、選択した信号を第２の変調方式に応じて復調するステップとを備える。この方法において、選択するステップは、受信した信号の変調方式が第１の変調方式である場合には、受信した信号を選択してもよい。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、信号伝送に使用する変調方式に応じて動作させる回路を変更して、消費電力を低減できる。
【発明を実施するための最良の形態】
【００１１】
（実施例１）
本発明を具体的に説明する前に、概要を述べる。本発明の実施例１は、ＩＥＥＥ８０２．１１ｂ規格の無線ＬＡＮの受信装置に関する。受信装置は、ＤＢＰＳＫあるいはＤＱＰＳＫとバーカー（ＢＡＲＫＥＲ）符号の組合せ（以下、「ＰＳＫ変調」という）およびＣＣＫ変調に対応して、受信した信号を復調する。さらに、ＰＳＫ変調に対応した復調部とＣＣＫ変調に対応した復調部の前段に線形フィルタを備え、受信した信号を等化処理する。本実施例に係る受信装置は、受信した信号の変調方式がＣＣＫ変調の場合、線形フィルタを動作させ、受信した信号を等化処理させてから復調する。一方、受信した信号の変調方式がＰＳＫ変調の場合、線形フィルタを動作させずに、受信した信号を復調する。すなわち、ＰＳＫ変調で線形フィルタを動作させないことによって、受信装置は、低消費電力化を図る。
【００１２】
本実施例の前提として、ＩＥＥＥ８０２．１１ｂ規格におけるＣＣＫ変調の概略を説明する。ＣＣＫ変調は、８ビットをひとつの単位（以下、この単位を「ＣＣＫ変調単位」とする）とし、この８ビットを上位からｄ１、ｄ２、・・・ｄ８と名づける。ＣＣＫ単位のうち、下位６ビットは、［ｄ３，ｄ４］、［ｄ５，ｄ６］、［ｄ７，ｄ８］単位でそれぞれＱＰＳＫ（Ｑｕａｄｒａｔｕｒｅ  Ｐｈａｓｅ  Ｓｈｉｆｔ  Ｋｅｙｉｎｇ）の信号点配置にマッピングされる。また、マッピングした位相をそれぞれ（φ２、φ３、φ４）とする。さらに、位相φ２、φ３、φ４から８種類の拡散符号Ｐ１からＰ８を以下の通り生成する。
【００１３】
【数１】
2005244324.tif 000003
一方、ＣＣＫ変調単位のうち、上位２ビットの［ｄ１，ｄ２］は、ＤＱＰＳＫ（Ｄｉｆｆｅｒｅｎｔｉａｌ  ｅｎｃｏｄｉｎｇ  Ｑｕａｄｒａｔｕｒｅ  Ｐｈａｓｅ  Ｓｈｉｆｔ  Ｋｅｙｉｎｇ）の信号点配置にマッピングされ、ここではマッピングした位相をφ１とする。なお、φ１が被拡散信号に相当する。さらに、被拡散信号φ１と拡散符号Ｐ１からＰ８より、以下の通り８通りのチップ信号Ｘ０からＸ７を生成する。
【００１４】
【数２】
2005244324.tif 000004
送信装置は、チップ信号Ｘ０からＸ７の順に送信する（以下、チップ信号Ｘ０からＸ７によって構成される時系列の単位も「ＣＣＫ変調単位」という）。
なお、ＩＥＥＥ８０２．１１ｂ規格ではＣＣＫ変調の他に、ＤＢＰＳＫやＤＱＰＳＫの位相変調した信号が既知の拡散符号によって拡散されて送信される。以下、本実施例で示される受信信号は、原則としてチップ信号の形態であるものとする。
【００１５】
図１は、実施例１に係る受信装置１００の構成を示す。受信装置１００は、アンテナ１０、ＲＦ部１２、第１選択部１４、逆拡散部１６、ＰＳＫ復調部１８、第１等化部２０、第２等化部２２、ＣＣＫ復調部６６、第２選択部６４、変調方式判定部６０、決定部６２、制御部６８、適応アルゴリズム部７０を含む。また信号として、ディジタル信号２０２、第１等化部出力信号２０６、第２等化部入力信号２０８、第２等化部出力信号２０４、タップ係数関連信号２１０を含む。
【００１６】
アンテナ１０は、図示しない送信装置から送信された無線周波数のバースト信号を受信する。
ＲＦ部１２は、受信した無線周波数のバースト信号を中間周波数のバースト信号に周波数変換する。さらに、中間周波数のバースト信号を直交検波し、ＡＤ変換してから、ベースバンドのバースト信号をディジタル信号２０２として出力する。一般にベースバンドのバースト信号であるディジタル信号２０２は、同相成分と直交成分のふたつの成分によって示されるが、ここではそれらをまとめた形で図示する。
【００１７】
第１等化部２０は、ディジタル信号２０２を入力して等化処理を行い、第１等化部出力信号２０６を出力する。なお、第１等化部２０の構成は後述するが、複数のタップを含んでおり、それらに対応した複数のタップ係数は、ＬＭＳ（Ｌｅａｓｔ  Ｍｅａｎ  Ｓｑｕａｒｅｓ）アルゴリズムなどによって推定される。
【００１８】
第１選択部１４は、ＲＦ部１２から入力したディジタル信号２０２と第１等化部２０から入力した第１等化部出力信号２０６の一方を選択して、逆拡散部１６あるいは第２等化部２２に出力する。すなわち、選択信号２１２を入力し、選択信号２１２からバースト信号の変調方式がＰＳＫ変調であると通知された場合には、ＲＦ部１２から入力したディジタル信号２０２を逆拡散部１６に出力し、選択信号２１２からバースト信号の変調方式がＣＣＫ変調であると通知された場合には、第１等化部２０から入力した第１等化部出力信号２０６を第２等化部２２に出力する。ここで、第２等化部２２に出力される信号は、第２等化部入力信号２０８とする。
【００１９】
逆拡散部１６は、第１選択部１４から入力した信号をバーカー（ＢＡＲＫＥＲ）符号によって逆拡散する。ＰＳＫ復調部１８は、逆拡散された信号をＤＢＰＳＫあるいはＤＱＰＳＫで復調する。
第２等化部２２は、第２等化部入力信号２０８を入力してさらに等化処理を行い、第２等化部出力信号２０４を出力する。ここで、第２等化部２２は第１等化部２０で等化処理された第２等化部入力信号２０８から、残留のひずみ成分を除去するために使用される。そのため、第１等化部２０と構造が異なり判定帰還型等化器で構成され、さらに第１等化部２０と等化可能な遅延波の領域も異なっている。
【００２０】
ＣＣＫ復調部６６は、第２等化部出力信号２０４をウォルシュ変換にもとづいたＣＣＫ復調を行う。第２選択部６４は、ＰＳＫ復調部１８から出力された信号とＣＣＫ復調部６６から出力された信号の一方を選択して出力する。すなわち、決定部６２から入力した信号にもとづいて、バースト信号の変調方式がＰＳＫ変調である場合には、ＰＳＫ復調部１８から入力した信号を出力し、バースト信号の変調方式がＣＣＫ変調である場合には、第１等化部２０から入力した信号を出力する。
変調方式判定部６０は、ＰＳＫ復調部１８で復調した信号から変調方式に関する情報を抽出し、変調方式を判定する。すなわち、ＣＣＫ変調であるか、あるいはＰＳＫ変調であるかを判定する。
【００２１】
決定部６２は、判定した変調方式にもとづいて、第１選択部１４と第２選択部６４での信号の選択を指示する。決定部６２の指示にもとづく第１選択部１４と第２選択部６４の動作は前述のとおりである。特に、第１選択部１４へ出力する信号を選択信号２１２という。
【００２２】
適応アルゴリズム部７０は、第１等化部２０と第２等化部２２で等化処理のために使用されるタップ係数を適応アルゴリズムにもとづいて計算する。適応アルゴリズムは、ＬＭＳアルゴリズム、ＲＬＳアルゴリズムなど任意のものでよい。なお、適応アルゴリズム部７０と第２等化部２２との間の信号をタップ係数関連信号２１０という。
制御部６８は、受信装置１００のタイミング等を制御する。
【００２３】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２４】
図２は、実施例１に係る端末装置と基地局装置間で伝送される信号を示す。なお、図１の受信装置１００は、端末装置の受信機能に相当する。図中のビーコンは、基地局装置から端末装置への下り回線において、一定時間間隔で送信される信号である。また、バースト信号は、上り回線と下り回線の区別なく示している。図示のごとく端末装置は、受信待機モードの場合でもビーコンを受信するように動作する。ビーコンが送信される時間間隔は、ビーコンで伝送される情報に含まれており、受信装置１００は、ビーコンを復調してビーコンが送信される時間間隔を取得する。
【００２５】
図３は、実施例１に係るバーストフォーマットを示す。このバーストフォーマットは、ＩＥＥＥ８０２.１１ｂ規格のＳｈｏｒｔＰＬＣＰに相当する。バースト信号は、図示のごとくプリアンブル、ヘッダ、データの領域を含む。さらに、プリアンブルは、ＤＢＰＳＫの変調方式で伝送速度１Ｍｂｐｓで通信され、ヘッダは、ＤＱＰＳＫの変調方式で伝送速度２Ｍｂｐｓで通信され、データは、ＣＣＫの変調方式で伝送速度１１Ｍｂｐｓで通信される。また、プリアンブルは、５６ビットのＳＹＮＣ、１６ビットのＳＦＤを含み、ヘッダは、８ビットのＳＩＧＮＡＬ、８ビットのＳＥＲＶＩＣＥ、１６ビットのＬＥＮＧＴＨ、１６ビットのＣＲＣを含む。一方、データに対応したＰＳＤＵの長さは、可変である。なお、プリアンブルが遅延プロファイルを推定するための既知の信号に相当する。
【００２６】
図４は、第１等化部２０の構成を示す。第１等化部２０は、遅延部３０と総称される第１遅延部３０ａ、第１１遅延部３０ｋ、第１２遅延部３０ｌ、第２２遅延部３０ｖ、保持部３２と総称される第１保持部３２ａ、第２保持部３２ｂ、第１１保持部３２ｋ、第１２保持部３２ｌ、第１３保持部３２ｍ、第２２保持部３２ｖ、第２３保持部３２ｗ、乗算部３４と総称される第１乗算部３４ａ、第２乗算部３４ｂ、第１１乗算部３４ｋ、第１２乗算部３４ｌ、第１３乗算部３４ｍ、第２２乗算部３４ｖ、第２３乗算部３４ｗ、総和部３６を含む。
【００２７】
遅延部３０は、ディジタル信号２０２を遅延させる。ふたつの遅延部３０の間が前述のタップに相当する。遅延部３０は図示のごとく２２個設けられているために、タップ数は２３に相当する。また、遅延部３０での遅延量は、チップ信号の時間間隔の１／２に設定されている。
【００２８】
保持部３２は、図示していない信号線を介して、バースト信号の先頭部分において適応アルゴリズム部７０で計算されたタップ係数をそれぞれ保持する。タップ係数は一度、保持部３２に設定されれば、バースト信号期間中固定される。
乗算部３４は、遅延部３０から出力された信号と保持部３２に保持されたタップ係数を乗算する。総和部３６は、乗算部３４での乗算結果を総和して、第１等化部出力信号２０６を出力する。
【００２９】
図５は、第２等化部２２の構成を示す。第２等化部２２は、遅延部４０と総称される第１遅延部４０ａ、第２遅延部４０ｂ、第３遅延部４０ｃ、第１０遅延部４０ｊ、保持部４２と総称される第１保持部４２ａ、第２保持部４２ｂ、第３保持部４２ｃ、第４保持部４２ｄ、第１１保持部４２ｋ、乗算部４４と総称される第１乗算部４４ａ、第２乗算部４４ｂ、第３乗算部４４ｃ、第４乗算部４４ｄ、第１１乗算部４４ｋ、総和部４６、判定部４８、加算部５０を含む。
【００３０】
遅延部４０は、ふたつの部分に分かれており、それらを第１遅延部４０ａ、第２遅延部４０ｂからなるフィードフォワードタップ部（以下、「ＦＦ部」という）と、第３遅延部４０ｃ、第１０遅延部４０ｊからなるフィードバックタップ部（以下、「ＦＢ部」という）と呼ぶ。ＦＦ部では、ふたつの遅延部４０の間が前述のタップに相当する。ＦＦ部の遅延部４０は図示のごとく２個設けられているために、タップ数は３となる。一方、ＦＢ部では、ひとつの遅延部４０が前述のタップに相当する。ＦＢ部の遅延部４０は図示のごとく８個設けられているために、タップ数は８となる。また、遅延部４０での遅延量は、チップ信号の時間間隔に設定されている。
【００３１】
保持部４２は、図示していない信号線を介して、適応アルゴリズム部７０で計算されたタップ係数をそれぞれ保持する。保持部４２に保持されるべきタップ係数はバースト期間中にわたって更新される。
乗算部４４は、遅延部４０から出力された信号と保持部４２に保持されたタップ係数を乗算する。総和部４６は、乗算部４４での乗算結果を総和する。判定部４８は、総和部４６から出力された信号を判定する。判定した信号は、タップ係数関連信号２１０によって前述の適応アルゴリズム部７０に出力されると共に、第３遅延部４０ｃに入力される。
【００３２】
加算部５０は、総和部４６から出力された信号と判定部４８で判定した信号を減算して、誤差を求め、タップ係数関連信号２１０によって前述の適応アルゴリズム部７０に出力する。なお、総和部４６から出力された信号は、第２等化部出力信号２０４として出力される。
【００３３】
図６は、受信装置１００の受信待機時の動作を示すフローチャートである。前述のごとく、受信待機時において、受信装置１００は所定の時間間隔でビーコンを受信する。さらに、ビーコンの変調方式はＤＢＰＳＫあるいはＤＱＰＳＫであるので、受信装置１００は、逆拡散部１６とＰＳＫ復調部１８の処理が選択されるように、第１選択部１４と第２選択部６４を切り替えかつ第１等化部２０の動作を停止している。
受信装置１００は、タイマーアウトになれば（Ｓ１０のＹ）、受信信号を検出する（Ｓ１４）。ＰＳＫ復調部１８は、受信したビーコンを復調し（Ｓ１６）、制御部６８は、復調した信号からビーコンの間隔を検出する（Ｓ１８）。さらに制御部６８は、タイマーをセットする（Ｓ２０）。一方、受信装置１００は、タイマーアウトになるまで（Ｓ１０のＮ）、以上の動作を実行しない。
【００３４】
図７は、受信装置１００のデータ受信時の動作を示すフローチャートである。受信装置１００は、第１等化部２０をオンにする（Ｓ３０）。第１等化部２０はオンにするが、図３に示したごとく、バースト信号のプリアンブルとヘッダはＰＳＫ変調されているので、第１選択部１４と第２選択部６４は、逆拡散部１６とＰＳＫ復調部１８を選択するように動作する。すなわち、第１等化部２０をオンにすることによって、適応アルゴリズム部７０でタップ係数の計算が行われる。受信装置１００は、受信信号を検出する（Ｓ３２）。ＰＳＫ復調部１８は、ヘッダを復調し（Ｓ３４）、変調方式判定部６０は、復調したヘッダからデータの変調方式を取得する。その結果、ＣＣＫ復調を実行する場合（Ｓ３６のＹ）、ＣＣＫ復調部６６は、ＣＣＫ復調を行う（Ｓ３８）。一方、ＣＣＫ復調を実行しない場合（Ｓ３６のＮ）、第１等化部２０をオフにする（Ｓ４０）。さらに逆拡散部１６とＰＳＫ復調部１８は、ＰＳＫ復調を行う（Ｓ４２）。
【００３５】
図８は、受信装置１００のデータ受信時の動作を示すフローチャートである。図７では、バースト信号のプリアンブルとヘッダでも第１等化部２０をオンにしてるが、図８は、バースト信号のプリアンブルとヘッダで第１等化部２０をオフにしてさらに低消費電力化を図る。受信装置１００は、第１等化部２０をオフにする（Ｓ５０）。受信装置１００は、受信信号を検出する（Ｓ５２）。ＰＳＫ復調部１８は、ヘッダを復調し（Ｓ５４）、変調方式判定部６０は、復調したヘッダからデータの変調方式を取得する。その結果、ＣＣＫ復調を実行する場合（Ｓ５６のＹ）、受信装置１００は第１等化部２０をオンにして（Ｓ５８）、ＣＣＫ復調部６６はＣＣＫ復調を行う（Ｓ６０）。一方、ＣＣＫ復調を実行しない場合（Ｓ５６のＮ）、逆拡散部１６とＰＳＫ復調部１８は、ＰＳＫ復調を行う（Ｓ６２）。
【００３６】
本発明の実施例によれば、伝送レートの高い変調方式では等化器を動作させ、伝送レートの低い変調方式では等化器を停止させるように、信号の変調方式に応じて等化器の動作を停止させるので、信号の伝送品質を所定の水準で維持しつつ、消費電力を低減できる。
【００３７】
（実施例２）
本発明の実施例２は、実施例１と同様に、伝送レートの高い変調方式では等化器を動作させ、伝送レートの低い変調方式では等化器を停止させる。しかしながら、実施例２では、伝送レートの低い変調方式でも受信した信号の品質が悪化していれば、等化器を動作させる。その結果、伝送レートの低い変調方式の信号品質を改善できる。
【００３８】
図９は、実施例２に係る受信装置１００の構成を示す。図１の受信装置１００と比較して、測定部７２が付加されている。測定部７２は、バースト信号のヘッダにおいてＰＳＫ復調された信号の誤り率または一定時間の誤り数を測定する。さらに、測定結果を決定部６２に出力する。決定部６２は、変調方式判定部６０で判定された変調方式がＰＳＫである場合に、測定部７２で測定された誤り率または誤り数が所定のしきい値より悪化していれば、第１等化部２０の動作を決定する。すなわち、第１等化部２０から出力された第１等化部出力信号２０６を逆拡散部１６に入力する。
【００３９】
図１０は、受信装置１００のデータ受信時の動作を示すフローチャートである。受信装置１００は、第１等化部２０をオンにする（Ｓ７０）。前述のごとく、第１等化部２０はオンにするが、第１選択部１４と第２選択部６４は、逆拡散部１６とＰＳＫ復調部１８を選択するように動作する。すなわち、第１等化部２０をオンにすることによって、適応アルゴリズム部７０でタップ係数の計算が行われる。受信装置１００は、受信信号を検出する（Ｓ７２）。ＰＳＫ復調部１８は、ヘッダを復調し（Ｓ７４）、変調方式判定部６０は、復調したヘッダからデータの変調方式を取得する。その結果、ＣＣＫ復調を実行する場合（Ｓ７６のＹ）、ＣＣＫ復調部６６は、ＣＣＫ復調を行う（Ｓ７８）。一方、ＣＣＫ復調を実行しない場合（Ｓ７６のＮ）、決定部６２は測定部７２から測定結果を取得する（Ｓ８０）。決定部６２は、取得した測定結果がしきい値より悪ければ（Ｓ８２のＹ）、逆拡散部１６とＰＳＫ復調部１８は、第１等化部２０から出力された第１等化部出力信号２０６に対してＰＳＫ復調を行う（Ｓ８６）。決定部６２は、取得した測定結果がしきい値より悪くなければ（Ｓ８２のＮ）、第１等化部２０をオフにする（Ｓ８４）。さらに逆拡散部１６とＰＳＫ復調部１８は、ＰＳＫ復調を行う（Ｓ８６）。
【００４０】
本発明の実施例によれば、信号の変調方式に応じて等化器の動作を停止させるので、信号の伝送品質を所定の水準で維持しつつ、消費電力を低減できる。さらに、伝送レートの低い変調方式であっても信号の品質が悪化していれば、等化器を動作させるので、信号の伝送品質の悪化を防止できる。
【００４１】
（実施例３）
本発明の実施例３は、これまでの実施例と同様に、伝送レートの高い変調方式では等化器を動作させ、伝送レートの低い変調方式では等化器を停止させる。しかしながら、これまでの実施例では、スイッチによって信号線を切り替えるようにして等化器の動作を選択していたが、本実施例では、等化器のタップ係数を入れ替えることによって、信号の切替を実現する。
【００４２】
実施例３の受信装置１００は、図１に示されるタイプに係る。しかしながら、第１等化部２０と第１選択部１４の構成が異なり、図示しないがこれらの機能がひとつにまとめられる形で等化／選択部７４になる。
【００４３】
図１１は、実施例３に係る等化／選択部７４の構成を示す。等化／選択部７４は、図４の第１等化部２０に加えて定数保持部３８と総称される第１定数保持部３８ａ、第２定数保持部３８ｂ、第１２定数保持部３８ｌ、第２２定数保持部３８ｖ、第２３定数保持部３８ｗ、切替部７６と総称される第１切替部７６ａ、第２切替部７６ｂ、第１２切替部７６ｌ、第２２切替部７６ｖ、第２３切替部７６ｗを含む。図では、定数保持部３８に対してその内部に保持している値を記載している。例えば、第１定数保持部３８ａは複素数の「０，０」を保持してるので、図中で”０”と示し、第１２定数保持部３８ｌは複素数の「１，０」を保持しているので、図中で”１”と示す。
【００４４】
切替部７６は、選択信号２１２にもとづいて乗算部３４へ出力する信号を切り替える。すなわち、選択信号２１２によって変調方式がＰＳＫ変調である旨を通知されると、切替部７６は定数保持部３８からの出力を選択して、乗算部３４に出力する。一方、選択信号２１２によって変調方式がＣＣＫ変調である旨を通知されると、切替部７６は保持部３２からの出力を選択して、乗算部３４に出力する。
【００４５】
乗算部３４は、遅延部３０から出力された信号およびディジタル信号２０２に対して、切替部７６から出力された信号を乗算する。ここで、切替部７６によって定数保持部３８からの出力が選択されている場合、第１２乗算部３４ｌでの乗算結果のみが所定の値を有し、それ以外の乗算結果がゼロになるので、等化処理を実行せずディジタル信号２０２を遅延させて出力することに相当する。一方、切替部７６によって保持部３２からの出力が選択されている場合、これまでの実施例と同様に等化処理がなされる。
総和部３６から出力した信号は、変調方式がＰＳＫ変調である場合に逆拡散部１６に出力され、変調方式がＣＣＫ変調である場合に第２等化部２２に出力される。
【００４６】
本発明の実施例によれば、等化処理を実行する場合と実行しない場合に対しても、同一のタイミングで動作するので、単一のタイミングで設計できる。また、単一のタイミングで設計されるので、動作が安定する。
【００４７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４８】
本発明の実施例１から３において、受信装置１００は、ＩＥＥＥ８０２．１１ｂ規格に準拠した無線ＬＡＮに使用されている。しかしこれに限らず例えば、携帯電話システム、特に第３世代携帯電話システムやＩＥＥＥ８０２．１１ｂ規格以外のＩＥＥＥ８０２．１１ａ等の規格に準拠した無線ＬＡＮに使用されてもよい。本変形例によれば、様々な無線システムに本発明を適用できる。すなわち、複数の変調方式に対応した無線システムに適用されればよい。
【００４９】
本発明の実施例１から３において、第１等化部２０として線形フィルタを適用した。しかしこれに限らず例えば、ＭＬＳＥ（Ｍａｘｉｍｕｍ  Ｌｉｋｅｌｉｈｏｏｄ  Ｓｅｑｕｅｎｃｅ  Ｅｓｔｉｍａｔｉｏｎ）を適用してもよい。本変形例によれば、様々なタイプの等化器を第１等化部２０として適用できる。すなわち、第１等化部２０として使用される等化器のタイプは、受信装置１００を使用すべき無線伝搬路の特性に応じて任意のものに選択されればよい。
【００５０】
本発明の実施例２において、測定部７２は、バースト信号のヘッダにおいて誤り率や誤り数を測定した。しかしながらこれに限らず例えば、バースト信号のデータにおいて誤り率や誤り数を測定してもよい。この場合、測定した結果は、次回のバーストを受信した際に反映される。本変形例によれば、測定対象となるデータ数が増加するので、測定の精度が向上する。すなわち、ＰＳＫ変調での信号の品質が判定できればよい。さらに、Ｓ／Ｎ比を測定して判定してもよい。
【００５１】
本発明の実施例１から実施例３のうちの任意の組合せも有効であって、本変形例によれば、それらを組み合わせた効果が得られる。
【図面の簡単な説明】
【００５２】
【図１】実施例１に係る受信装置の構成を示す図である。
【図２】実施例１に係る端末装置と基地局装置間で伝送される信号を示す図である。
【図３】実施例１に係るバーストフォーマットを示す図である。
【図４】図１の第１等化部の構成を示す図である。
【図５】図１の第２等化部の構成を示す図である。
【図６】図１の受信装置の受信待機時の動作を示すフローチャートである。
【図７】図１の受信装置のデータ受信時の動作を示すフローチャートである。
【図８】図１の受信装置のデータ受信時の動作を示すフローチャートである。
【図９】実施例２に係る受信装置の構成を示す図である。
【図１０】図９の受信装置のデータ受信時の動作を示すフローチャートである。
【図１１】実施例３に係る等化／選択部の構成を示す図である。
【符号の説明】
【００５３】
１０  アンテナ、  １２  ＲＦ部、  １４  第１選択部、  １６  逆拡散部、  １８  ＰＳＫ復調部、  ２０  第１等化部、  ２２  第２等化部、  ３０  遅延部、  ３２  保持部、  ３４  乗算部、  ３６  総和部、  ３８  定数保持部、  ４０  遅延部、  ４２  保持部、  ４４  乗算部、  ４６  総和部、  ４８  判定部、  ５０  加算部、  ６０  変調方式判定部、  ６２  決定部、  ６４  第２選択部、  ６６  ＣＣＫ復調部、  ６８  制御部、  ７０  適応アルゴリズム部、  ７２  測定部、  ７４  等化／選択部、  ７６  切替部、  １００  受信装置、  ２０２  ディジタル信号、  ２０４  第２等化部出力信号、  ２０６  第１等化部出力信号、  ２０８  第２等化部入力信号、  ２１０  タップ係数関連信号、  ２１２  選択信号。
【図１】
2005244324.tif 000005
【図２】
2005244324.tif 000006
【図３】
2005244324.tif 000007
【図４】
2005244324.tif 000008
【図５】
2005244324.tif 000009
【図６】
2005244324.tif 000010
【図７】
2005244324.tif 000011
【図８】
2005244324.tif 000012
【図９】
2005244324.tif 000013
【図１０】
2005244324.tif 000014
【図１１】
2005244324.tif 000015